(57)【要約】【課題】錠箱、ロッド、接続部材で構成されて錠箱交換ができるグレモン錠において錠箱の交換を容易にするとともに、接続部材の交換時にはロッド接続を容易にする。【解決手段】接続部材９は筒体１１と、該筒体１１内を上下動する昇降体１７、ガイド１２、ストップネジ１３、１４で構成するとともに、筒体１１に設けられたストップネジ１３、１４により上方移動および下方移動を係止して移動可能範囲を規制して配設する。扉１を構成する縦枠２内に錠箱６の上方および下方にロッド２３と小組みした接続部材９を挿入して固定する。【選択図】図１
2009203673.tif 000002
【特許請求の範囲】
【請求項１】
扉に取付けられ、ハンドル操作に従動してロッドを扉から突出させて係止する錠装置を、錠箱と上下接続部材およびロッドから構成するとともに、錠箱が接続金具から着脱自在なる錠装置において、上記錠箱の上下端かつ扉内にハンドル操作に従動する突軸を設け、接続部材を上下方向に開放された筒体と、筒体内にロッドをネジ接続するネジ孔および相対側に上記突軸に係合する係合部が設けられた昇降体を配設し、筒体の扉内方側面に錠箱側およびロッド側に昇降体の移動を係止させるストップネジを設けたことを特徴とするグレモン錠の錠箱着脱装置。
【請求項２】
接続部材を上下方向に開放された筒体と、筒体内にロッドをネジ接続するネジ孔および相対側に上記突軸に係合する係合部が設けられた昇降体を配設し、筒体の扉内方側面に錠箱側に昇降体の移動を係止させるストップネジを設け、ロッド側に昇降体のロッド方向への移動を係止する係止板と、該係止板と昇降体の間に錠箱側へ昇降体を付勢するような弾性体を設けたことを特徴とする請求項１に記載したグレモン錠の錠箱着脱装置。
【発明の詳細な説明】
【技術分野】
【０００１】
本発明は扉の錠装置に関し、特に扉の自由端側からデッドボルトを出没し、同時に上下方向にロッドを出没させて扉を施錠するようにしたいわゆるグレモン錠に係るものである。
【背景技術】
【０００２】
錠箱全体を覆うような箱体の上下に接続金具を設け、該接続金具に錠箱を配設し、かつ錠箱に設けられて上下動するスライダに係合させることで、ロッドを外さずに錠箱を交換できるようなグレモン錠において、装置全体が重く複雑となるため、該接続金具の軽量化かつ部品点数が少ない装置を臨まれている。
【０００３】
そのような実情に鑑み、接続金具を錠箱の上方部と下方部に分割したものがある。
それぞれに略Ｃ型形状をした連結部材の後側部に上下動可能にロッドソケットが取り付けられており、ロッドソケットはロッドとネジ接続され、錠箱に設けられた上下動するスライダと連動する係合軸に係合するフックが設けられている。また該連結部材にはロッドソケットが錠箱に近接した位置で停止するようにストップネジが設けられ錠箱側への移動を規制するように構成されている。
【０００４】
さらに、錠箱を交換する場合には連結部材にネジ着されたネジを締めることによりネジ先端をロッドソケットに押付けて移動停止させ、係合部を定位置に保持させることのできることが記載されている。
しかし、錠箱の下方部に配設された連結部材においてネジ操作を忘れて錠箱を外した場合や、ネジ操作が緩い場合にはロッドソケット等の自重により下方へ移動して定位置から移動したり、連結部材から外れてしまうおそれがあるため、錠箱の交換にはネジ操作による作業が必須であるとともに作業ミスにともなって連結部材からロッドソケットが分離してしまい、修復作業が発生する場合がある。
また、該接続金具を交換する場合にはネジ接続されているロッドを外し、交換後再びロッドソケットにネジ接続しなければならない。ロッドの接続部は扉内で視認できない部分であるので、作業が困難である。
【０００５】
【特許文献１】特許第３４５８３３９号公報
【発明の開示】
【発明が解決しようとする課題】
【０００６】
本発明の解決しようとする問題点は、上記のようにグレモン錠の錠箱を容易に着脱可能にする接続金具を上下分割したものにおいて、錠箱の交換作業を容易にするとともに接続部材の着脱も容易にできる扉の錠装置を提供することである。
【課題を解決するための手段】
【０００７】
上記課題を解決するために、請求項1記載の発明は、扉に取付けられ、ハンドル操作に従動してロッドを扉から突出させて係止する錠装置を、錠箱と上下接続部材およびロッドから構成するとともに、錠箱が接続金具から着脱自在なる錠装置において、上記錠箱の上下端かつ扉内にハンドル操作に従動する突軸を設け、接続部材を上下方向に開放された筒体と、筒体内にロッドをネジ接続するネジ孔および相対側に上記突軸に係合する係合部が設けられた昇降体を配設し、筒体の扉内方側面に錠箱側およびロッド側に昇降体の移動を係止させるストップネジを設けたことを特徴とする。
このように構成することにより、錠箱交換において昇降体の移動停止をしなくても、昇降体が筒体から分離しない。
【０００８】
また、請求項２記載の発明は、接続部材を上下方向に開放された筒体と、筒体内にロッドをネジ接続するネジ孔および相対側に上記突軸に係合する係合部が設けられた昇降体を配設し、筒体の扉内方側面に錠箱側に昇降体の移動を係止させるストップネジを設け、ロッド側に昇降体のロッド方向への移動を係止する係止板と、該係止板と昇降体の間に錠箱側へ昇降体を付勢するような弾性体を設けたことを特徴とする。
このように構成することにより、錠箱交換において昇降体の固定作業を省略して係合部を所定位置に係止させておくことができる。
【発明の効果】
【０００９】
本願発明によれば、簡易な構成によって錠箱交換における作業工数を減らすことができるとともに、作業ミスによる接続部材の分離を生じることがないので、修復作業のおそれもない。また、連結部材の交換が必要な場合でも、連結部材とロッドを小組み状態で着脱することができるので、ロッドのネジ接続など従来では目視できない場所での接続作業も化粧枠４を外した後に縦枠２から扉外へ出しておこなうことができるため、容易かつ確実におこなうことができる。
【００１０】
さらに、請求項2によれば、錠箱を扉から外した状態において昇降体は弾性体によりロッド側から錠箱側へ付勢されるとともに錠箱側のストップネジに係止して、係合部が所定位置に配設されるため、錠箱を取付ける場合において交換作業が容易にできる。
【発明を実施するための最良の形態】
【００１１】
以下、本願発明の最良の形態について、図面に基づいて説明する。
上記グレモン錠の錠箱着脱装置は、図1および図２に示すようにハンドル７を操作することで、デッドボルト６ａを突出させて施錠するとともに突軸８を上下動させて、接続部材９を介してロッド２３の先端を扉１から突出させて係止させる。なお、図中のグレモン錠は開状態を示しているとともに、接続部材９は錠箱６を境に上下対称な構成となるので、各部同一符号とする。
【００１２】
扉１は内部フレーム構成として、縦枠２と横枠３で矩形に構成されており、四辺の端面を化粧枠４が覆うようにして構成されている。縦枠２ は中空状態で該空間内に錠箱６、接続部材９、ロッド２３、が配設されている。上下化粧枠４にはロッドガイド５が設けられており、ロッド２３の振れを抑えることができる。
【００１３】
接続部材９は筒体１１内の昇降体１７にロッド２３がネジ接続されて縦枠２の各上下方向から挿入して固定される。接続部材９の詳細な構造については図２乃至図４を参照して後述する。
【００１４】
錠箱６は扉１の自由端面側から縦枠２内に配設されるとともに錠箱６の上下端に設けられた突軸８が接続部材９の筒体１１から突出する係合部１８に係合される。
【００１５】
図２乃至図４において、接続部材９は筒体１１、昇降体１７、ロッド２３、ロッド側ストップネジ１３、錠箱側ストップネジ１４から構成されている。
昇降体１７にはロッド２３をネジ接続するためのネジ孔１９と、錠箱６の突軸８と係合させるための係合部１８が設けられている。
【００１６】
筒体１１には昇降体１７が上下への直線運動が可能に縦方向に伸びるガイド１２を設けるとともに昇降体１７が筒体１１から分離しないように扉内方側面のロッド側にストップネジ１３、錠箱側にストップネジ１４が突設されている。ストップネジ１３は昇降体１７のロッド２３側端面１９に当接し、ロッド２３方向への移動を係止させ、ストップネジ１４は錠箱側端面２２に当接し、錠箱方向への移動を係止させる。したがって、筒体１１、昇降体１７をストップネジ１３、１４で組み、ロッド２３を昇降体１７にネジ接続して扉１外で小組みできる。
【００１７】
係合部１８は、突軸８に係合可能でかつストップネジ１４に干渉しない隙間２０が設けられている。したがって、昇降体が錠箱側へ移動する場合には、係合部１８はストップネジ１４を通過し筒体１１から突出させることができる。
また、筒体１１の他側面には縦枠２へ固定させるためのネジ孔１５が設けられている。さらに錠箱６を固定するためのネジ孔１６が設けられている。
【００１８】
図５において、接続部材９を縦枠２へ取付ける方法を説明する。昇降体１７にロッド２３をネジ接続し、ストップネジ１３、14を突設して小組みした接続部材９を縦枠２の上方より開口２ａ近傍まで挿入し、ネジ２４を縦枠２に穿設した通穴２ｂに軸通してネジ孔１５に累合して接続部材９を縦枠２に固定する。
接続部材９はロッド２３とともに小組みされているので、扉内におけるロッド２３の接続作業はなく接続部材９を縦枠２に固定するだけで足りる。
【００１９】
図６において、錠箱６を接続部材６へ取付ける方法を説明する。錠箱６には突軸８と、取付片６ｂが設けられている。突軸８は錠の開状態において錠箱６の上下に配設した接続部材９の筒体１１に干渉せずに扉１の自由端面側より開口２ａから挿入され、突軸８に設けられた鍔を係合部１８に係合させて、ネジ２５を取付片６ｂに設けられている通穴６ｃに軸通し、ネジ孔１６に累合して錠箱６を筒体１１に固定する。
【００２０】
図７において、別実施例を説明する。
筒体１１のロッド２３側端面には係止板２６が設けられ、ロッド２３は通孔２７、コイルスプリング２８に挿通するとともに、ネジ孔１９にネジ接続され、コイルスプリング１７は昇降体１７を錠箱６側へ付勢するように配設されているので、錠箱６が脱状態である場合には昇降体１７は錠箱６側へ付勢されるとともに、図５に示す錠箱側端面２２がストップネジ１４に当接して係合部１３ａが筒体１１から一定量突出することとなる。
コイルスプリング２８はロッド２３、昇降体１７を併せた質量を押上げるだけの力があれば足りる。
【００２１】
よって、上記錠箱を修理等するような場合には、ハンドル軸等を取り除いた後、ネジ２０を外して錠箱６を扉１から自由端面側から着脱することができる。この際、上記ロッド２３
は、接続部材９に連結したままでよい。
【００２２】
また、接続部材９の交換が必要な場合でも、化粧枠２を外した後に接続部材９とロッド２３を小組み状態で縦枠２から取出しおよび挿入できるので、交換後のロッド２３のネジ接続など従来では目視できない場所での作業を扉１外でおこなうことができる。 
【図面の簡単な説明】
【００２３】
【図１】本発明の一実施例を示す施錠装置の正面図
【図２】施錠装置の縦断拡大正面図
【図３】接続部材の分解斜視図
【図４】図２の４−４断面図
【図５】接続部材の取付け方法を示す図
【図６】錠箱の取付け方法を示す図
【図７】別実施例における接続部材の分解斜視図を示す
【符号の説明】
【００２４】
１    扉
２    縦枠
６    錠箱
１１  筒体
１７  昇降体
１３、１４  ストップネジ
１８  係合部
【図１】
2009203673.tif 000003
【図２】
2009203673.tif 000004
【図３】
2009203673.tif 000005
【図４】
2009203673.tif 000006
【図５】
2009203673.tif 000007
【図６】
2009203673.tif 000008
【図７】
2009203673.tif 000009